【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】情報処理装置、情報処理方法及び記録媒体
【手続補正２】
【補正対象書類名】明細書
【補正対象項目名】特許請求の範囲
【補正方法】変更
【補正の内容】
【特許請求の範囲】
【請求項１】
所定の撮像手段に対して撮像命令を与える撮像命令供給手段と、
上記撮像命令に基づいて上記撮像手段により所望の撮像対象を撮像した結果得られる画像データを取り込む画像データ取込手段と、
上記画像データが撮像された位置に対応する位置データを取得する位置データ取得手段と、
上記画像データと位置データとを関連付けて所定の記憶手段に記憶する画像データ記憶制御手段と、
所定の表示手段に表示された地図画像上の上記位置データと対応する位置に、上記位置データに関連付けられた画像データを読み出すための情報を表示させる情報表示制御手段と
を具えることを特徴とする情報処理装置。
【請求項２】
上記地図画像上に表示された情報は、所定形状のアイコンであり、
ユーザ操作に応じて操作指示を入力する操作手段と、
上記操作手段により上記アイコンが選択されたとき上記記憶手段から上記位置データに関連付けて記憶された上記画像データを読み出して上記表示手段に表示する画像データ表示制御手段と
を具えることを特徴とする請求項１に記載の情報処理装置。
【請求項３】
所定の撮像手段に対して撮像命令を与える撮像命令供給ステップと、
上記撮像命令に基づいて上記撮像手段により所望の撮像対象を撮像した結果得られる画像データを取り込む画像データ取込ステップと、
上記画像データが撮像された位置に対応する位置データを取得する位置データ取得ステップと、
上記画像データと位置データとを関連付けて所定の記憶手段に記憶する画像データ記憶制御ステップと、
所定の表示手段に表示された地図画像上の上記位置データと対応する位置に、上記位置データに関連付けられた画像データを読み出すための情報を表示させる情報表示制御ステップと
を具えることを特徴とする情報処理方法。
【請求項４】
所定の撮像手段に対して撮像命令を与える撮像命令供給ステップと、
上記撮像命令に基づいて上記撮像手段により所望の撮像対象を撮像した結果得られる画像データを取り込む画像データ取込ステップと、
上記画像データが撮像された位置に対応する位置データを取得する位置データ取得ステップと、
上記画像データと位置データとを関連付けて所定の記憶手段に記憶する画像データ記憶制御ステップと、
所定の表示手段に表示された地図画像上の上記位置データと対応する位置に、上記位置データに関連付けられた画像データを読み出すための情報を表示させる情報表示制御ステップと
を情報処理装置に実行させるためのプログラムを記録したことを特徴とする記録媒体。
【請求項５】
所定の表示プログラムに基づく表示画像を表示する表示手段と、
上記表示画像上においてユーザー所望の位置を指定する位置指定手段と、
上記位置指定手段によって上記表示画像上の上記位置が指定された状態で、所定の撮像手段に対して撮像命令を与える撮像命令供給手段と、
上記撮像命令に基づいて上記撮像手段により所望の撮像対象を撮像した結果得られる画像データを取り込む画像データ取込手段と、
上記画像データを上記位置に対応する位置データに関連付けて所定の記憶手段に記憶する画像データ記憶制御手段と
を具えることを特徴とする情報処理装置。
【請求項６】
上記表示画像上で指定された上記位置に所定形状のアイコンを表示するアイコン表示制御手段
を具えることを特徴とする請求項５に記載の情報処理装置。
【請求項７】
ユーザ操作に応じて操作指示を入力する操作手段と、
上記操作手段により上記表示画像上に表示された上記アイコンが選択されたとき上記記憶手段から上記位置データに関連付けて記憶された上記画像データを読み出して上記表示手段に表示する画像データ表示制御手段と
を具えることを特徴とする請求項６に記載の情報処理装置。
【請求項８】
上記画像データ記憶制御手段は、上記画像データと共に音声データを上記記憶手段に記憶する
ことを特徴とする請求項５に記載の情報処理装置。
【請求項９】
上記表示手段は、上記表示プログラムに基づいて所定地域の地図を上記表示画像として表示する
ことを特徴とする請求項５に記載の情報処理装置。
【請求項１０】
所定の表示プログラムに基づく表示画像を表示手段に表示する表示ステップと、
上記表示画像上においてユーザー所望の位置が指定された状態で所定の撮像手段に対して撮像命令が与えたとき、上記撮像命令に基づいて上記撮像手段により所望の撮像対象を撮像した結果得られる画像データを取り込む画像データ取込ステップと、
上記表示画像上の上記位置に対応する位置データに関連付けて上記画像データを所定の記憶手段に記憶する画像データ記憶ステップと
を具えることを特徴とする情報処理方法。
【請求項１１】
上記画像データ記憶ステップに続いて、上記表示画像上で指定された上記位置に所定形状のアイコンを表示するアイコン表示ステップ
を具えることを特徴とする請求項１０に記載の情報処理方法。
【請求項１２】
上記アイコン表示ステップに続いて、上記表示画像上に表示された上記アイコンが選択されたとき上記記憶手段から上記位置データに関連付けて記憶された上記画像データを読み出して上記表示手段に表示する画像データ表示ステップ
を具えることを特徴とする請求項１０に記載の情報処理方法。
【請求項１３】
上記画像データ記憶ステップは、上記画像データと共に音声データを上記記憶手段に記憶する
ことを特徴とする請求項１０に記載の情報処理方法。
【請求項１４】
上記表示ステップは、上記表示プログラムに基づいて所定地域の地図を上記表示画像として表示する
ことを特徴とする請求項１０に記載の情報処理方法。
【請求項１５】
所定の表示プログラムに基づく表示画像を表示手段に表示する表示ステップと、
上記表示画像上においてユーザー所望の位置が指定された状態で所定の撮像手段に対して撮像命令が与えたとき、上記撮像命令に基づいて上記撮像手段により所望の撮像対象を撮像した結果得られる画像データを取り込む画像データ取込ステップと、
上記表示画像上の上記位置に対応する位置データに関連付けて上記画像データを所定の記憶手段に記憶する画像データ記憶ステップと
を情報処理装置に実行させるためのプログラムを記録したことを特徴とする記録媒体。
【請求項１６】
上記画像データ記憶ステップに続いて、上記表示画像上で指定された上記位置に所定形状のアイコンを表示するアイコン表示ステップ
を上記情報処理装置に実行させるためのプログラムを記録したことを特徴とする請求項１５に記載の記録媒体。
【請求項１７】
上記アイコン表示ステップに続いて、上記表示画像上に表示された上記アイコンが選択されたとき上記記憶手段から上記位置データに関連付けて記憶された上記画像データを読み出して上記表示手段に表示する画像データ表示ステップ
を情報処理装置に実行させるためのプログラムを記録したことを特徴とする請求項１６に記載の記録媒体。
【請求項１８】
上記画像データ記憶ステップは、上記画像データと共に音声データを上記記憶手段に記憶する
ことを特徴とする請求項１５に記載の記録媒体。
【請求項１９】
上記表示ステップは、上記表示プログラムに基づいて所定地域の地図を上記表示画像として表示する
ことを特徴とする請求項１５に記載の記録媒体。
【手続補正３】
【補正対象書類名】明細書
【補正対象項目名】０００１
【補正方法】変更
【補正の内容】
【０００１】
【発明の属する技術分野】
本発明は情報処理装置、情報処理方法及び記録媒体に関し、例えば携帯型パーソナルコンピュータ装置に適用して好適なものである。
【手続補正４】
【補正対象書類名】明細書
【補正対象項目名】００１１
【補正方法】変更
【補正の内容】
【００１１】
本発明は以上の点を考慮してなされたもので、表示画像上で任意の位置を指定し、撮像した画像データを指定した位置に関連付けて自動的に記憶し得る情報処理装置、情報処理方法及び記録媒体を提案しようとするものである。
【手続補正５】
【補正対象書類名】明細書
【補正対象項目名】００１２
【補正方法】変更
【補正の内容】
【００１２】
【課題を解決するための手段】
かかる課題を解決するため本発明の情報処理装置においては、所定の撮像手段に対して撮像命令を与える撮像命令供給手段と、撮像命令に基づいて撮像手段により所望の撮像対象を撮像した結果得られる画像データを取り込む画像データ取込手段と、画像データが撮像された位置に対応する位置データを取得する位置データ取得手段と、画像データと位置データとを関連付けて所定の記憶手段に記憶する画像データ記憶制御手段と、所定の表示手段に表示された地図画像上の位置データと対応する位置に、位置データに関連付けられた画像データを読み出すための情報を表示させる情報表示制御手段とを設けるようにする。
【手続補正６】
【補正対象書類名】明細書
【補正対象項目名】００１３
【補正方法】変更
【補正の内容】
【００１３】
これにより画像データが撮像された位置に対応する位置データと、当該画像データとを関連付けて記憶すると共に、表示画像上の位置データに対応する位置に、当該位置データに関連付けられた画像データを読み出すための情報を表示させることができる。
【手続補正７】
【補正対象書類名】明細書
【補正対象項目名】００１４
【補正方法】変更
【補正の内容】
【００１４】
また発明の情報処理方法においては、所定の撮像手段に対して撮像命令を与える撮像命令供給ステップと、撮像命令に基づいて撮像手段により所望の撮像対象を撮像した結果得られる画像データを取り込む画像データ取込ステップと、画像データが撮像された位置に対応する位置データを取得する位置データ取得ステップと、画像データと位置データとを関連付けて所定の記憶手段に記憶する画像データ記憶制御ステップと、所定の表示手段に表示された地図画像上の位置データと対応する位置に、位置データに関連付けられた画像データを読み出すための情報を表示させる情報表示制御ステップとを設けるようにする。
【手続補正８】
【補正対象書類名】明細書
【補正対象項目名】００１５
【補正方法】変更
【補正の内容】
【００１５】
これにより画像データが撮像された位置に対応する位置データと、当該画像データとを関連付けて記憶すると共に、表示画像上の位置データに対応する位置に、当該位置データに関連付けられた画像データを読み出すための情報を表示させることができる。
【手続補正９】
【補正対象書類名】明細書
【補正対象項目名】００１６
【補正方法】変更
【補正の内容】
【００１６】
また発明の記録媒体においては、所定の撮像手段に対して撮像命令を与える撮像命令供給ステップと、撮像命令に基づいて撮像手段により所望の撮像対象を撮像した結果得られる画像データを取り込む画像データ取込ステップと、画像データが撮像された位置に対応する位置データを取得する位置データ取得ステップと、画像データと位置データとを関連付けて所定の記憶手段に記憶する画像データ記憶制御ステップと、所定の表示手段に表示された地図画像上の位置データと対応する位置に、位置データに関連付けられた画像データを読み出すための情報を表示させる情報表示制御ステップとを情報処理装置に実行させるためのプログラムを記録するようにした。
【手続補正１０】
【補正対象書類名】明細書
【補正対象項目名】００１７
【補正方法】変更
【補正の内容】
【００１７】
これにより画像データが撮像された位置に対応する位置データと、当該画像データとを関連付けて記憶すると共に、表示画像上の位置データと対応する位置に、当該位置データに関連付けられた画像データを読み出すための情報を表示させることができる。
【手続補正１１】
【補正対象書類名】明細書
【補正対象項目名】０１３３
【補正方法】変更
【補正の内容】
【０１３３】
【発明の効果】
上述のように本発明によれば、画像データが撮像された位置に対応する位置データと、当該画像データとを関連付けて記憶すると共に、表示画像上の位置データと対応する位置に、当該位置データに関連付けられた画像データを読み出すための情報を表示させ得る情報処理装置を実現することができる。
【手続補正１２】
【補正対象書類名】明細書
【補正対象項目名】０１３４
【補正方法】変更
【補正の内容】
【０１３４】
また本発明によれば、画像データが撮像された位置に対応する位置データと、当該画像データとを関連付けて記憶すると共に、表示画像上の位置データと対応する位置に、当該位置データに関連付けられた画像データを読み出すための情報を表示させ得る情報処理方法を実現することができる。
【手続補正１３】
【補正対象書類名】明細書
【補正対象項目名】０１３５
【補正方法】変更
【補正の内容】
【０１３５】
さらに本発明によれば、情報処理装置に対して、画像データが撮像された位置に対応する位置データと、当該画像データとを関連付けて記憶すると共に、表示画像上の位置データと対応する位置に、当該位置データに関連付けられた画像データを読み出すための情報を表示させ得るプログラムが記録された記録媒体を実現することができる。